(57)【要約】【課題】本発明は素材を板紙としながらも充分なボリューム感、質感、安定感を呈し、且つ一枚のブランクシートを出発素材として組み立てのできる新規な立体縁枠を具えたカード立てを提案する。【解決手段】板紙製の矩形状の基板１と、この基板１の四周に連接される縁枠板２０とを具え、この縁枠板２０は基板１の内側に向けて断面角筒状となるよう立体折り曲げがされて、基板周囲に立体枠状の縁枠２が形成され、その内側をカード収め部１０としたカード立てＦにおいて、縁枠板２０を立体折り曲げすることにより縁枠２を形成するにあたっては、キーフラップ２７を基板１における裏通しスリット１１から基板裏面に沿わせ、更にその先端をロックスリットに係合させて形状維持を図ることを特徴とする。【選択図】図１
2014150939.tif 000002
【特許請求の範囲】
【請求項１】
板紙製の矩形状の基板と、この基板の四周に連接される縁枠板とを具え、この縁枠板は基板の内側に向けて断面角筒状となるよう立体折り曲げがされて、基板周囲に立体枠状の縁枠が形成され、その内側をカード収め部としたカード立てにおいて、各縁枠板は基板四周から順次連接状態に外厚み板と、化粧板と、内厚み板と、内折込板とを具え、このうち、少なくとも対向する一対の縁枠板には内折込板と独立して内厚み板から延長されるキーフラップが設けられ、一方、 他の対向する一対の縁枠板には化粧板の両端に押さえ受け部が設けられ、更に前記基板には縁枠板におけるキーフラップを通すための裏通しスリットとが設けられるとともに、この裏通しスリットより外側の位置における基板または縁枠板にはキーフラップ先端のロックフラップを差し込み係止させるロックスリットが設けられ、
縁枠板を立体折り曲げすることにより縁枠を形成するにあたっては、前記押さえ受け部を具えた一対の縁枠板は押さえ受け部において、他の一対の縁枠板の化粧板が外被せ状態とされることにより形状維持が図られる一方、外被せ状態とされる縁枠板は、これに具えられたキーフラップを基板における裏通しスリットから基板裏面に沿わせ、更にその先端をロックスリットに係合させて形状維持を図り、これにより基板四周のすべての縁枠が立体状に形状維持するように構成されていることを特徴とする立体縁枠を具えたカード立て。
【請求項２】
前記１またはすべての内厚み板には、ブランクシート状態において化粧板との境界を始端として連続する外れ止めスリットを形成し、縁枠形成状態において化粧板と同一面となる外れ止め片をカード収め部側に張り出すように構成したことを特徴とする請求項１記載の立体縁枠を具えたカード立て。
【請求項３】
前記基板にはスリットにより裏側に曲げ起こし自在のスタンド形成板が設けられていることを特徴とする請求項１または２記載の立体縁枠を具えたカード立て。
【請求項４】
前記スタンド形成板は、スタンドフラップとこのスタンドフラップの基部側のスタンド折線を横切って延びるスタンド保持フラップとを具え、スタンドフラップの曲げ起こし方向の中心は基板のほぼ対角線に沿うようにし、スタンドフラップの自由端側には縦置き支承部と、横置き支承部とが形成され、且つスタンドフラップの曲げ起こし状態にあるスタンド組立状態ではスタンド保持フラップを基板裏側に曲げ起こし、その先端をスタンドフラップにおけるスタンドロック孔に係止させるようにして組立状態を維持させるようにしたことを特徴とする請求項１、２または３記載の立体縁枠を具えたカード立て。
【発明の詳細な説明】
【技術分野】
【０００１】
本発明は、例えば厚紙素材を適用したカード立てに関するものであって、特に一枚のブランクシートの折り曲げて組み立てることによって完成させることができる、立体縁枠を具えたカード立てに係るものである。
【背景技術】
【０００２】
例えば室内の装飾小物の一つにフォトスタンド等のカード立てがある。このものは例えば木製や樹脂製の額状形態をとり、写真、グリーティングカード等を収めるようにして用いられている。このうち簡易タイプのカード立てとして、紙製のものが提案されているが、その重厚さ等が充分に発揮できておらず、あくまで一時的な仮置き程度の使い方にとどまっている。
【先行技術文献】
【特許文献】
【０００３】
【特許文献１】特開２００１−２５８７０４公報
【発明の概要】
【発明が解決しようとする課題】
【０００４】
本発明はこのような従来の紙製タイプのカード立てに対する評価や利用状況を考慮してなされたものであって、素材を板紙としながらも充分なボリューム感、質感、安定感を呈し、且つ一枚のブランクシートを出発素材として組み立てのできる新規な立体縁枠を具えたカード立てを提案しようとするものである。
【課題を解決するための手段】
【０００５】
まず請求項１記載の立体縁枠を具えたカード立ては、板紙製の矩形状の基板と、この基板の四周に連接される縁枠板とを具え、この縁枠板は基板の内側に向けて断面角筒状となるよう立体折り曲げがされて、基板周囲に立体枠状の縁枠が形成され、その内側をカード収め部としたカード立てにおいて、各縁枠板は基板四周から順次連接状態に外厚み板と、化粧板と、内厚み板と、内折込板とを具え、このうち、少なくとも対向する一対の縁枠板には内折込板と独立して内厚み板から延長されるキーフラップが設けられ、一方、 他の対向する一対の縁枠板には化粧板の両端に押さえ受け部が設けられ、更に前記基板には縁枠板におけるキーフラップを通すための裏通しスリットとが設けられるとともに、この裏より外側の位置における基板または縁枠板にはキーフラップ先端のロックフラップを差し込み係止させるロックスリットが設けられ、
縁枠板を立体折り曲げすることにより縁枠を形成するにあたっては、前記押さえ受け部を具えた一対の縁枠板は押さえ受け部において、他の一対の縁枠板の化粧板が外被せ状態とされることにより形状維持が図られる一方、外被せ状態とされる縁枠板は、これに具えられたキーフラップを基板における裏通しスリットから基板裏面に沿わせ、更にその先端をロックスリットに係合させて形状維持を図り、これにより基板四周のすべての縁枠が立体状に形状維持するように構成されていることを特徴として成るものである。
【０００６】
また請求項２記載の立体縁枠を具えたカード立ては、前記請求項１記載の要件に加え、前記１またはすべての内厚み板には、ブランクシート状態において化粧板との境界を始端として連続する外れ止めスリットを形成し、縁枠形成状態において化粧板と同一面となる外れ止め片をカード収め部側に張り出すように構成したことを特徴として成るものである。
【０００７】
また請求項３記載の立体縁枠を具えたカード立ては、前記請求項１または２記載の要件に加え、前記基板にはスリットにより裏側に曲げ起こし自在のスタンド形成板が設けられていることを特徴として成るものである。
【０００８】
また請求項４記載の立体縁枠を具えたカード立ては、前記請求項１、２または３記載の要件に加え、前記スタンド形成板については、スタンドフラップとこのスタンドフラップの基部側のスタンド折線を横切って延びるスタンド保持フラップとを具え、スタンドフラップの曲げ起こし方向の中心は基板のほぼ対角線に沿うようにし、スタンドフラップの自由端側には縦置き支承部と、横置き支承部とが形成され、且つスタンドフラップの曲げ起こし状態にあるスタンド組立状態ではスタンド保持フラップを基板裏側に曲げ起こし、その先端をスタンドフラップにおけるスタンドロック孔に係止させるようにして組立状態を維持させるようにしたことを特徴として成るものである。
【発明の効果】
【０００９】
まず請求項１記載の発明によれば、一枚のブランクシートから縁枠を構成するにあたり、それぞれ矩形状の基板の四周に設けられた縁枠板は相互にその組立状態を維持するように組み立てられるとともに、 更に組立作用を維持するためのキーフラップを基板に対し、裏側に回し止めるようにするものであり、その形状維持状態を確実にする。加えて縁枠を構成する内厚み板はここから更に内折込板を延長させることにより、縁枠の構成を重厚且つ堅牢なものとすることができる。
【００１０】
また請求項２記載の発明によれば、スタンド保持フラップが適宜設けられているから、カード収め部に保持したカード等の抜け出しが防止され、安定した装飾形態をとることができる。
【００１１】
また請求項３記載の発明によれば、基板の一部を利用してスタンドが構成できるものであり、完全に一枚のシート状のブランクシートから立体縁枠を具えたカード立てが構成できる。
【００１２】
また請求項４記載の発明によれば、スタンドを形成するスタンド形成板はスタンドフラップとスタンド保持フラップとの相互の部材によりスタンドの形成状態を維持できる。またスタンドフラップは、縦置き支承部と横置き支承部とを具えることにより、立体縁枠を具えたカード立てを横置き及び縦置きの双方の使用形態を選択することができ、カードの装飾形態に応じていずれの姿勢も選択できる。
【図面の簡単な説明】
【００１３】
【図１】本発明の立体縁枠を具えたカード立ての説明図であり、使用状態の斜視図、組み立てた完成状態の一部破断斜視図、ブランクシートの展開状態を示す平面図を併せ示すものである。
【図２】同上立体縁枠を呈したカード立ての完成状態の一部破断斜視図である。
【図３】同上立体縁枠を呈したカード立てのブランクシートを示す平面図である。
【図４】同上ブランクシートにおける縁枠部の組立順序を示す説明図である。
【図５】同上スタンドの組立順序を示す説明図である。
【図６】スタンド形成の他の実施例を示す斜視図である。
【図７】同上更に他の実施例を示す斜視図である。
【図８】本発明の更に他の展示形態を示す斜視図である。
【発明を実施するための形態】
【００１４】
本発明を実施するための形態は、以下に述べる実施例をその一つとするものであり、更にこの技術思想の中で改変される種々の形態を含むものである。
【実施例】
【００１５】
以下本発明を図示の実施例に基づいて具体的に説明する。まず図１において本発明の立体縁枠を具えたカード立て（以下カード立てＦと略称する）の使用状態及び完成状態の一部破断斜視図、更にはブランクシートＢｓの展開形態を示すものである。図１から理解できるようにカード立てＦは、写真等のカードＰの形態に応じて横置き状態として使用することもできるし、縦置き状態として使用することもできる。このためカード立てＦの四方の向き、または部位については、横置き状態にして上部になる部分を横置き上部Ａとし、一方、対向する側を横置き下部Ｂとする。更にそれら間の両側部は縦置き状態として使用した場合、上下に配置されることに因み、上部に配される部位を縦置き上部Ｃとし、一方これに対向する側を縦置き下部Ｄとして説明する。
【００１６】
まずカード立てＦは、基板１の四周に縁枠２を具えるとともに、その裏面側にスタンド３を具え、前記縁枠２に囲まれた部位をカード収め部１０とする。なお縁枠２の説明にあたっては、前記横置き上部Ａから縦置き下部Ｄに至るまでの部材は、その基本構成は共通するもののその部位によって一部構成を異ならせている。また組立手順等の説明において、それぞれの部位ごとに説明する必要が生ずる。このため基本的には縁枠２を構成する部材については、基板１の四周すべてを共通的に説明するが、それぞれ相違する部位についての説明にあたってはそれぞれの数字符号に、横置き上部Ａから縦置き下部Ｄに至るまで、対応小文字のａ〜ｄまでを添え字として付加してその区別を図るものである。もちろん区別して説明する必要がない場合には、すべて数字符号により共通的に説明する。
【００１７】
まず展開状態のブランクシートＢｓを出発素材として説明すると、その中央部に矩形状の基板１が区画される。基板１の四周には前記縁枠２を構成する縁枠板２０が形成されるとともに、基板１をスリットにより区画して、スタンド形成板３０を構成している。この基板１の中央面すなわち縁枠２の内側がカード収め部１０となる。更に基板１には一例として横置き下部Ｂ側及び縦置き上部Ｃ及び縦置き下部Ｄ側の計３カ所に縁枠２を固定するための裏通しスリット１１及びロックスリット１２が形成される。
【００１８】
このような基板１に対し、その四周に縁枠板２０が形成される。四周の各縁枠板２０は縁枠２を構成するための部位を具えて成るものであって、まず共通的に基板枠折線Ｌ１を介して外厚み板２１が基板１から延長形成される。なおこの外厚み板２１は言わば縁枠２の厚さすなわち額縁としてみた場合の奥行きを形成する。更に外厚み板２１の外側には化粧板外折線Ｌ２を介して化粧板２２が形成される。この化粧板２２は、縦置き上部Ｃにおける化粧板２２ｃと縦置き下部Ｄにおける化粧板２２ｄは、一例として両側縁を斜めにカットした言わば台形状を構成している。一方、横置き上部Ａと横置き下部Ｂにおいては、化粧板２２ａ、２２ｂは矩形状の構成をとる。なお図示の状態では後述する押さえ受けフラップ２５が一体形成されていることにより、扁平な門型ないしは台形と表現されるような形状を呈している。このような化粧板２２に対し化粧板内折線Ｌ３を介して内厚み板２３がその外側に形成される。更にこの内厚み板２３からは内折込折線Ｌ４を介して内折込板２４が形成されている。
【００１９】
そして前述した横置き上部Ａと横置き下部Ｂにおける化粧板２２ａ、２２ｂは、その両側を延長するようにして、押さえ受けフラップ２５ａ、２５ｂを、内厚み板２３ａ、２３ｂ及び内折込板２４ａ、２４ｂの側端縁に添わせるようにして延長形成させている。なお押さえ受けフラップ２５ａ、２５ｂは、押さえ受け部２５１の一形態であって、後述する組立状態において、隣接する縦置き上部Ｃと縦置き下部Ｄとにおける化粧板２２ｃ、２２ｄにより上からの押さえを受け、縁枠２ａ、２ｂの形状維持を確実にするためのものである。従ってその目的が達成できる範囲で、より短寸のものとしてもよいし、更にはこれを排除してもよい。もちろん押さえ受けフラップ２５ａ、２５ｂがない場合には、化粧板２２ａ、２２ｂの端部に仮想線ハッチを施した部位が押さえ受け部２５１となる。
【００２０】
更に横置き上部Ａと横置き下部Ｂの縁枠板２０ａ、２０ｂとにおける外厚み板２１ａ、２１ｂとには、それぞれその両端に耳片状に延びた仕舞い片２６が設けられている。なおこの仕舞い片２６については、良好な形状維持を図るためのものであり、横置き上部Ａ側と横置き下部Ｂ側の外厚み板２１ａ、２１ｂを延長させることに限らず、縦置き上部Ｃ及び縦置き下部Ｄにおける外厚み板２１c 、２１ｄの両側を延長させるような形態としてももとより差し支えない。
【００２１】
更に横置き下部Ｂと縦置き上部Ｃ、縦置き下部Ｄにおけるそれぞれの縁枠板２０にはキーフラップ２７が形成される。具体的には前記内折込板２４ｂ、２４ｃ、２４ｄのそれぞれの中央部分にスリットを介して形成するものであり、舌片状に延びたキーフラップ２７はそれぞれ通し折線Ｌ６の外側に通しフラップ２７１を設け、更にその先端にロック折線Ｌ７を介してロックフラップ２７２を設ける。更に横置き下部Ｂと縦置き下部Ｄとを構成する縁枠板２０には外れ止め片２８を形成する。すなわちこのものは化粧板内折線Ｌ３の中央を一部分断するようにして、外れ止めスリット２８Ｓを内厚み板２３側に入り込むように形成し、実質的に外れ止め片２８を構成している。このものは後述するように縁枠２を形成するにあたって、化粧板２２と内厚み板２３とが、化粧板内折線Ｌ３において９０°折り曲げられたとき、その折り曲げの影響を受けずに化粧板２２と同一面を保ち、舌片状にカード収め部１０の内側に一部張り出すように構成される。
【００２２】
次にカード立てＦを自立的に立てるため、基板１に形成されるスタンド形成板３０について説明する。このものはブランクシートＢｓの状態では基板１と同一面を構成しており、適宜のスリットにより区画され、組立状態では基板１の裏側に曲げ起こして、スタンド３を張り出し形成できるように構成されている。まずスタンド形成板３０は、スタンドフラップ３１と、このスタンドフラップ３１を保持するスタンド保持フラップ３５との二片のフラップ状部材で構成される。まずスタンドフラップ３１は一例として変形五角形状を成し、一辺を除いてスタンドフラップスリット３１Ｓにより基板１から切り離されるように構成されている。また残余の一辺はスタンド折線Ｌ８により構成される。このスタンド折線Ｌ８と直交する方向であるスタンドフラップ３１の曲げ起こし方向の中心（中心線を符号ＣＬで示す）は、基板１のほぼ対角線に沿うような方向に構成されている。
【００２３】
更にスタンドフラップ３１は、スタンド折線Ｌ８と対向する位置、すなわち自由端側にある二辺を横置き支承部３２と縦置き支承部３３とする。このものはスタンド３を形成した状態では、横置き状態と縦置き状態とにおいて接地する縁辺を構成し、縦横両方の使い勝手が可能となるように構成されている。更にスタンドフラップ３１は、その中央近くにスタンドロック孔３４を有する。このスタンドロック孔３４は、スタンド折線Ｌ８側に向かって狭まるような台形形状の貫通孔であり、スタンドフラップ３１の自由端側の幅広部位を挿入許容部３４１とするとともに、スタンド折線Ｌ８側の幅狭部位をロック作用部３４２とする。更にこのスタンドフラップ３１を保持するためのスタンド保持フラップ３５は、長片状を成し、その曲げ起こし基部を保持フラップ折線Ｌ９とするものであり、そこからスタンド保持フラップスリット３５Ｓをスタンドフラップ３１の基部を越えてその内側までループ状に延長させて、結果的にスタンド保持フラップ３５を区画形成する。そしてスタンド保持フラップ３５は、その先端部位に差込端部３５１が形成され、更にそれより基部側は一部括れた形状とされ、係合括れ部３５２が形成される。
【００２４】
本発明のカード立てＦのブランクシートＢｓは以上述べたような形態を有するものであり、以下このものをカード立てＦとして完成させる状態の組立状態を説明する。
＜縁枠２ａ、２ｂの組み立て＞図４（ａ）〜（ｅ）
まず組み立てにあたっては、横置き上部Ａの縁枠板２０ａと、横置き下部Ｂの縁枠板２０ｂとが縁枠２ａ、２ｂを形成するために立体折り曲げされる。まず横置き上部Ａ側と横置き下部Ｂ側の縁枠板２０ｂの両者を折り曲げるにあたっては、一例として本実施例では横置き下部Ｂにおける縁枠板２０ｂがキーフラップ２７を具えていることから、図４（ｂ）に示すようにまずこのものを折り曲げることが作業手順上好ましい。そのためには仕舞い片２６を内側に曲げ収めるようにするとともに、それぞれ基板枠折線Ｌ１、化粧板外折線Ｌ２、化粧板内折線Ｌ３、内折込折線Ｌ４において、ブランクシートＢｓをそれぞれ９０°ずつ回り込むように曲げる。この結果、外厚み板２１ｂ、化粧板２２ｂ、内厚み板２３ｂ、内折込板２４ｂとが扁平な断面角筒状の形態を呈する。この作業とともに図４（ｃ）に示すようにキーフラップ２７ｂをロック折線Ｌ７で折り曲げてそれを基板１における裏通しスリット１１に差しこみ、更にその通しフラップ２７１を基板１の裏面に沿わせながら、キーフラップ２７の先端にあるロックフラップ２７２をロックスリット１２に差し込むようにする。この結果、キーフラップ２７により前記縁枠板２０ｂは角筒状態、すなわち立体縁枠を形成したような状態で基板１の一辺に組み立てがなされる。なおこのとき、横置き下部Ｂにおける外れ止め片２８ｂについて見ると、このものは化粧板内折線Ｌ３を分断するように構成されており、立体折り曲げがされたときには図４（ｄ）に示すように、その外れ止め片２８ｂは化粧板２２ｂと同一面を保っており、縁枠２ｂが構成された場合にはこの部位が部分的に基板１のカード収め部１０側にわずかに張り出すような状態となる。
【００２５】
このような状態で横置き下部Ｂを固定した後、横置き上部Ａにおいても図４（ｅ）に示すように同様の操作の下に、仕舞い折線Ｌ５において、仕舞い片２６を内側に収めるように折り曲げ、更に基板枠折線Ｌ１、化粧板外折線Ｌ２、 化粧板内折線Ｌ３．内折込折線Ｌ４においてそれぞれ同一方向に９０°ずつ折り曲げ、立体状になった縁枠２ａを構成するようにする。そしてこのとき、この実施例では横置き上部Ａにおける縁枠板２０ａにあっては、キーフラップ２７を具えず、その折込状態は次に折り曲げがされる縦置き上部Ｃと縦置き下部Ｄにおける縁枠板２０ｃ、２０ｄの立体折り曲げにより維持される。
【００２６】
＜縁枠２ｃ、２ｄの組み立て＞図４（ｆ）（ｇ）
すなわち例えば縦置き下部Ｄ側から縁枠板２０ｄの折り曲げを図るとすると、図４（ｆ）に示すように先の手法と同様にそれぞれ基板枠折線Ｌ１から内折込折線Ｌ４に至るまでの立体折り曲げにより、縁枠板２０ｄを構成する外厚み板２１ｄ、化粧板２２ｄ、内厚み板２３ｄ、内折込板２４ｄを角筒状に折り曲げる。この際、すでに形態を自己維持している横置き下部Ｂにおける縁枠２に形成されている押さえ受けフラップ２５と、形態が自己維持できておらず復帰傾向を見せる横置き上部Ａにおける縁枠板２０ａの押さえ受けフラップ２５ａとを上面から押さえるように、縦置き下部Ｄにおける化粧板２２がその上方に重ねられる。そしてこの縦置き下部Ｄにおける縁枠板２０ｄは、縁枠２ｄとして組み立てられる形状維持のため、先に述べた横置き下部Ｂにおける場合と同様に、キーフラップ２７ｄを基板１の裏通しスリット１１に差し込む。そして更に通しフラップ２７１ｄを基板１の裏面に沿わせながらロックスリット１２ｃに向かうようにして、ここにロックフラップ２７２ｄを差し込み、その固定を図る。なおロックスリット１２とロックフラップ２７２との差込位置は、基板枠折線Ｌ１とほぼ同一線上に設けられており、保持する強さや、外観上の整一状態の点で好ましいが、この差込位置は更に外側にして外厚み板２１に設けてもよい。この縦置き下部Ｄにおいても、横置き下部Ｂの場合と同様、外れ止め片２８が形成される。そして最後に縦置き上部Ｃにおいては、図４（ｇ）に示すように同様の操作の下にその立体組立を図る。結果的に自らは保形性を有しない横置き上部Ａにおける縁枠２ａは、その両端部においてそれぞれ縦置き上部Ｃと縦置き下部Ｄにおける化粧板２２ｃ、２２ｄによりその押さえ受けフラップ２５及び押さえ受け部２５１の部位が押さえられることにより、その形状維持が図られる。
【００２７】
＜スタンド３の形成＞図５（ａ）〜（ｃ）
続いてスタンド３の形成について説明する。スタンド３の形成にあたっては、まず図５（ａ）に示すように、スタンドフラップ３１及びスタンド保持フラップ３５とをいずれの順序が先でもよいが、基板１の裏側に向けてそれぞれスタンド折線Ｌ８、保持フラップ折線Ｌ９において曲げ起こすようにする。このようにすると、図５（ａ）に示すようにスタンド折線のスタンドロック孔３４とスタンド保持フラップ３１の差込端部３５１とが接近し、両者の差込係合が図られる。すなわち図５（ｃ）に示すように、差し込みにあたっては差込端部３５１は挿入許容部３４１を充分通過してその差し込みが図られる。一方、その差し込んだ状態を解放すると、それぞれスタンドフラップ３１とスタンドラ保持フラップ３５とが有している曲げ戻りによる復帰傾向により、スタンド保持フラップ３５はその係合括れ部３５２をロック作用部３４２側に偏寄させるような姿勢をとる。結果的にその係合括れ部３５２がロック作用部３４２側に寄って係止するような状態となって、スタンドフラップ３１とスタンド保持フラップ３５との係合維持が図られる。この状態でスタンド３の横置き支承部３２を接地させると、図５（ｄ）に示すようにカード立てＦは横置き状態にやや後傾して自立した状態を維持する。一方、カード立てＦを縦置き下部Ｄを下方にしておいたときには、図５（ｅ）に示すようにスタンド３の縦置き支承部３３が接地してその縦置き状態を維持する。そして使用者は立体組立されたカード立てＦのカード収め部１０に対し、好みの写真、グリーティングカード等を嵌め込んで装飾ないしは観賞の用に供する。
【００２８】
本発明は以上述べたような形態を基本的な形態とするものであるが、更に種々の形態がとり得る。まず先の実施例にあっては、基板１に対し、スタンド形成板３０にをスリットにより形成しているものであり、このような形態はブランクシートＢｓを完全に一枚のままでカード立てＦのスタンド３まで構成し得る点で好ましい。しかしながら、図６に示すようにスタンド３については別体部材を供給して、基板１の背面に嵌め込むような形態をとることも可能である。また図７に示すようにスタンド３の形態自体は、スタンドフラップ３１を基板１から曲げ起こすようにして構成する場合であっても、先の実施例のようにスタンドフラップ３１の一枚によって、 横置き支承部３２、縦置き支承部３３を構成するほか、図７に示すようにそれぞれ縦置き支承用のスタンドフラップ３１０、横置き支承用のスタンドフラップ３１１を別途曲げ起こすようにして構成することも可能である。また更に言えば、このようなスタンド３によって後傾状態に置く場合に限らず、図８に示すように例えば壁等に吊り下げ使用するために適宜吊り紐Ｓ等を利用して装飾することも可能である。このような使用を考慮すると、前記外れ止め片２８は先の実施例のように横置き下部Ｂと縦置き下部Ｄのみ設けるほか、四周全周囲に設けるようにしておくことが好ましい。
【符号の説明】
【００２９】
１      基板
１０    カード収め部
１１    裏通しスリット
１２    ロックスリット
２      縁枠
２０    縁枠板
２１    外厚み板
２２    化粧板
２３    内厚み板
２４    内折込板
２５    押さえ受けフラップ
２５１  押さえ受け部
２６    仕舞い片
２７    キーフラップ
２７１  通しフラップ
２７２  ロックフラップ
２８    外れ止め片
２８Ｓ  外れ止めスリット
３      スタンド
３０    スタンド形成板
３１０  （縦置き用）スタンドフラップ
３１１  （横置き用）スタンドフラップ
３１    スタンドフラップ
３１Ｓ  スタンドフラップスリット
３２    横置き支承部
３３    縦置き支承部
３４    スタンドロック孔
３４１  挿入許容部
３４２  ロック作用部
３５    スタンド保持フラップ
３５Ｓ  保持フラップスリット
３５１  差込端部
３５２  係合括れ部
Ｂｓ    ブランクシート
Ａ      横置き上部
Ｂ      横置き下部
Ｃ      縦置き上部
Ｄ      縦置き下部
Ｆ      カード立て
Ｐ      カード
Ｓ      吊り紐
Ｌ１    基板枠折線  
Ｌ２    化粧板外折線  
Ｌ３    化粧板内折線  
Ｌ４    内折込折線  
Ｌ５    仕舞い折線  
Ｌ６    通し折線  
Ｌ７    ロック折線  
Ｌ８    スタンド折線  
Ｌ９    保持フラップ折線
【図１】
2014150939.tif 000003
【図２】
2014150939.tif 000004
【図３】
2014150939.tif 000005
【図４】
2014150939.tif 000006
【図５】
2014150939.tif 000007
【図６】
2014150939.tif 000008
【図７】
2014150939.tif 000009
【図８】
2014150939.tif 000010